(57)【要約】【課題】各ユーザにおける画像表示装置の画質の微調整ついての情報を、広く開示し、且つこれを一元的に管理して相互に利用することができる、画像表示装置および画像表示システムを提供する。【解決手段】画像表示装置が、画質調整手段の画質調整値を記憶して、ＦＤ、ユーザＰＣまたはインターネットに接続したホストＰＣに出力自在とする。そして、一方の画像表示装置１１の画質調整値が所定の書式のファイルに形成されてホストＰＣ２に出力され、ホストＰＣ２に一元的に記憶される。さらに、該ファイルまたは該ファイルを解析した解析結果が、インターネット１介して他方の画像表示装置２１に入力自在とする。【選択図】　　　　図２
2004093731.tif 000002
【特許請求の範囲】
【請求項１】
画質調整手段と、
所定の画質調整値を記憶している記憶手段と、
該記憶手段の画質調整値を情報記憶媒体、接続されているコンピュータまたは接続されているネットワークの何れか１以上に出力するための出力手段とを有することを特徴とする画像表示装置。
【請求項２】
他方の画像表示装置またはコンピュータから出力された画質調整値が情報記憶媒体、接続されているコンピュータまたは接続されているネットワークの何れかを介して入力されることを特徴とする請求項１記載の画像表示装置。
【請求項３】
前記記憶手段に記憶されている画質調整値が、新たに入力された画質調整値に更新されることを特徴とする請求項２記載の画像表示装置。
【請求項４】
前記画質調整値にユーザについてのユーザ情報と画像表示装置についてのデバイス情報とが付加された画質調整ファイルが出力または入力されることを特徴とする請求項１乃至３の何れかに記載の画像表示装置。
【請求項５】
前記画質調整値に表示する画像の内容についてのコンテンツ情報と表示する環境についてのサイト情報との一方または両方が付加された画質調整ファイルが出力または入力されることを特徴とする請求項１乃至４の何れかに記載の画像表示装置。
【請求項６】
画質調整値が表示される情報表示手段を有することを特徴とする請求項１乃至５の何れかに記載の記載の画像表示装置。
【請求項７】
ネットワークと、該ネットワークに接続されたホストコンピュータと、前記ネットワークに接続された少なくとも１つの画像表示装置とを有し、
前記画像表示装置の画質調整値が、前記ネットワークを介して前記ホストコンピュータとの間で送信または受信されることを特徴とする画像表示システム。
【請求項８】
ネットワークと、該ネットワークに接続されたホストコンピュータと、該ネットワークに接続された少なくとも１つのユーザコンピュータと、該ユーザコンピュータに無線、有線または情報記憶媒体の何れか１以上を介して接続された少なくとも１つの画像表示装置とを有し、
前記画像表示装置の画質調整値が、前記ユーザコンピュータおよび前記ネットワークを介して前記ホストコンピュータとの間で送信または受信されることを特徴とする画像表示システム。
【請求項９】
ネットワークと、該ネットワークに接続されたホストコンピュータと、前記ネットワークに接続された少なくとも１つの第一の画像表示装置と、前記ネットワークに接続された少なくとも１つのユーザコンピュータと、該ユーザコンピュータに無線、有線または情報記憶媒体の何れか１以上を介して接続された少なくとも１つの第二の画像表示装置とを有し、
前記第一の画像表示装置と前記第二の画像表示装置との間において、一方の画像表示装置の画質調整値が、前記ネットワークおよび前記ホストコンピュータおよび前記ユーザコンピュータを介して送信または受信されることを特徴とする画像表示システム。
【請求項１０】
ネットワークと、該ネットワークに接続された少なくとも１つの第一の画像表示装置と、前記ネットワークに接続された少なくとも１つのユーザコンピュータと、該ユーザコンピュータに無線、有線または情報記憶媒体の何れか１以上を介して接続された少なくとも１つの第二の画像表示装置とを有し、
前記第一の画像表示装置の画質調整値が、前記ネットワークを介して前記第一の画像表示装置同士の間で送信または受信され、
または前記第二の画像表示装置の画質調整値が、前記ユーザコンピュータおよび前記ネットワークを介して前記第二の画像表示装置同士の間で送信または受信され、
または前記第一の画像表示装置と前記第二の画像表示装置との間において、一方の画像表示装置の画質調整値が、前記ユーザコンピュータおよび前記ネットワークを介して送信または受信されることを特徴とする画像表示システム。
【請求項１１】
前記画質調整値にユーザについてのユーザ情報と画像表示装置についてのデバイス情報とが付加された画質調整ファイルが送信または受信されてなることを特徴とする請求項７乃至１０の何れかに記載の画像表示システム。
【請求項１２】
前記画質調整値に表示する画像の内容についてのコンテンツ情報と表示する環境についてのサイト情報との一方または両方が付加された画質調整ファイルが送信または受信されてなることを特徴とする請求項７乃至１１の何れかに記載の画像表示システム。
【請求項１３】
前記ホストコンピュータにおいて、前記画質調整ファイルに基づいて、それぞれのユーザについて画質調整値を解析したユーザ別画質調整解析値、それぞれの画像表示装置について画質調整値を解析したデバイス別画質調整解析値、それぞれの表示する画像の内容について画質調整値を解析したコンテンツ別画質調整解析値、またはそれぞれの表示する環境について画質調整値を解析したサイト別画質調整解析値の何れか１以上が演算されることを特徴とする請求項１１または１２記載の画像表示システム。
【請求項１４】
前記ホストコンピュータにおいて、前記画質調整ファイルに基づいて、ユーザ、画像表示装置、表示する画像の内容、または表示する環境の何れか２以上を組み合わせて抽出した画質調整値を解析した組み合わせ画質調整解析値が演算されることを特徴とする請求項１１または１２記載の画像表示システム。
【請求項１５】
請求項１３記載のユーザ別画質調整解析値、デバイス別画質調整解析値、コンテンツ別画質調整解析値またはサイト別画質調整解析値、もしくは請求項１４記載の組み合わせ画質調整解析値の内少なくとも１つが、所定のファイル形式に形成されて前記画像表示装置または前記ユーザコンピュータに選択的に送信されることを特徴とする請求項７乃至９の何れかに記載の画像表示システム。
【発明の詳細な説明】
【０００１】
【発明の属する技術分野】
本発明は画質調整情報の公開や公開された画質調整情報の取り込みを可能にした画像表示装置および画像表示システムに関するものである。
【０００２】
【従来の技術】
一般に、画像表示装置における表示画像の画質は、メーカ出荷時にあらかじめメーカによって平均的な値に調整されている。そして、国内向けまたは輸出向け（たとえば、大陸別）、あるいは業務向け（たとえば、屋内・屋外別）または家庭向け等でそれぞれ好まれる画質が相違している。
さらに、これを使用する各ユーザは、それぞれの嗜好や環境等に応じて、それぞれが独自に画質の微調整を行っている。なお、画質の微調整（以下、調整と称する場合がある）とは、明るさ、コントラスト、色の濃さ、ガンマ値（階調特性）および色温度等の少なくとも１つを変更することをいう。
【０００３】
したがって、あるユーザには、自らの当該調整の状況（画質の微調整の成功例）を他のユーザに推奨したいという要求がある。
一方、あるユーザには、特定のユーザにおける当該調整の状況（画質の微調整の成功例）を知りたいという要求がある。
さらに、あるユーザには、大多数のユーザにおける、表示される画像の内容（文字、人物画像、風景等）や環境（風景、地域、季節、時刻、天候、視聴者の人種・性別・年齢・職種等）に応じた平均的な当該調整の状況を知りたいという要求がある。
【０００４】
特に、プロジェクタの世界的な市場拡大、業務における使われ方のヴァリエーションの拡大、あるいは家庭内個人向けへの浸透、さらに、投写される内容（コンテンツ）の多様化とともに、投写された画像による商業的成功ないし個人的満足度が当該調整に依存していることから、前記要求が強まっている。
【０００５】
【発明が解決しようとする課題】
しかしながら、上記のように各ユーザは個々に当該調整を実施しているだけであるため、他人に自らの当該調整の状況を開示することも、あるいは他人の当該調整の状況を知ることも困難であって、前記要求に応えられないという問題がある。
【０００６】
本発明は、このような問題を解決するためになされたものであり、当該調整についての情報を広く開示し且つ相互に交換することができる、プロジェクタ等の画像表示装置および画像表示システムを提供することを目的とする。
【０００７】
【課題を解決するための手段】
本発明に係る画像表示装置は、
画質調整手段と、所定の画質調整値を記憶している記憶手段と、該記憶手段の画質調整値を情報記憶媒体、接続されているコンピュータまたは接続されているネットワークの何れか１以上に出力するための出力手段とを有してなる。
これによると、画像表示装置における記憶手段の画質調整値を、
▲１▼情報記憶媒体（フレキシブルディスク等）に直接出力したり、
▲２▼画像表示装置が直接接続されているユーザのコンピュータ（以下、ユーザＰＣと称す）に出力して該ユーザＰＣから情報記憶媒体に出力したり、
▲３▼画像表示装置が直接接続されているユーザＰＣに出力して該ユーザＰＣからネットワークを介して（ｉ）他の画像表示装置または（ｉｉ）他のユーザＰＣまたは（ｉｉｉ）ホストコンピュータ（以下、ホストＰＣと称す）に送信したり、
▲４▼画像表示装置およびユーザＰＣがネットワーク（ローカルネットワークを含む）に直接接続されていて、該ユーザＰＣの指令によって該画像表示装置からネットワークを介して（ｉ）他の画像表示装置または（ｉｉ）他のユーザＰＣまたは（ｉｉｉ）ホストＰＣに送信したりすることができる。
なお、画質調整値とは、明るさを指示する値、コントラストを指示する値、色の濃さを指示する値、ガンマ値（階調特性）および色温度を指示する値等を総合したものをいう。
【０００８】
前記画像表示装置において、他方の画像表示装置またはコンピュータから出力された画質調整値が情報記憶媒体、接続されているコンピュータまたは接続されているネットワークの何れかを介して入力されることが好ましい。
これによれば、一方の画像表示装置は、他方の画像表示装置における画質調整値を受け取って該画質調整値によって画質を調整することができるから、画像表示装置における画質の微調整の要領が容易に共有されることになる。
たとえば、他方の画像表示装置における画質調整値は、
▲１▼他方の画質調整値を記憶している情報記憶媒体（フレキシブルディスク等）から、一方の画像表示装置に直接入力されたり、
▲２▼他方の画質調整値を記憶している情報記憶媒体から、一方のユーザＰＣ（一方の画像表示装置が直接接続されている）に入力され、さらに一方の画像表示装置に直接入力されたり、
▲３▼他方の画質調整値を記憶している他方のユーザＰＣまたはホストＰＣから、ネットワークに接続している一方のユーザＰＣにダウンロードされ、さらに直接または情報記憶媒体を経由して一方の画像表示装置に入力されたり、
▲４▼他方の画質調整値を記憶している他方のユーザＰＣまたはホストＰＣから、ネットワークに接続されている一方のユーザＰＣの指令によって、ネットワークに接続されている一方の画像表示装置に直接ダウンロードされたり、
▲５▼他方の画質調整値を記憶している他方のユーザＰＣまたはホストＰＣから、ネットワークに接続されている第三のユーザＰＣの指令によって、一方のユーザＰＣにダウンロードされ、さらに直接または情報記憶媒体を経由して一方の画像表示装置に入力されたりする。
【０００９】
前記画像表示装置において、前記記憶手段に記憶されている画質調整値が、新たに入力された画質調整値に更新されることが好ましい。
これによれば、一方のユーザの画質調整手段の画質調整値が他方のユーザの画質調整値に置き換わる。さらに、繰り返し画質調整値を入力すれば、その都度画質調整値が更新されるから、一方のユーザは他方のユーザの画質調整値を確実に利用することが可能になる。
【００１０】
さらに、前記画質調整値にユーザについてのユーザ情報と画像表示装置についてのデバイス情報とが付加された画質調整ファイルが出力または入力されてなることが好ましい。
これによると、画質調整値の性格が明りょうになるとともに、所定のファイル形式に統一されるから、複数のユーザによる利用が容易になり、且つデータ解析ができるから広範な活用が可能になる。
たとえば、特定ユーザについての画質調整の傾向、たとえば、特定ユーザが画像表示装置の機種に係わらずコントラストを強めたり、赤を強めたりしている等を知ることができる。
また、ある種（機種、型式）の画像表示装置についての画質調整の傾向、たとえば、ある機種では多数のユーザがコントラストを強めたり、赤を強めたりしている等を知ることができる。
【００１１】
さらに、前記画質調整値に表示する画像の内容についてのコンテンツ情報と表示する環境についてのサイト情報との一方または両方が付加された画質調整ファイルが出力または入力されることが好ましい。
これによると、画質調整値の性格がさらに明りょうになるから、より広範な利用が容易になる。また、所定のファイル形式に統一されたことにより各種検索やデータ解析ができるから、ユーザの要求に応じたきめ細かい画質調整値（画質調整解析値に同じ）を得ることが可能になる。
たとえば、コンテンツ情報として、表示する画像が主に文字および数字であること、人物であること、動物であること、植物であること、風景であること、商品であること等を、所定のコンテンツコードまたはテキスト（文字）によって記入しておけば、コンテンツ（たとえば、人物）を指定して検索することにより（人物に）対応する画質調整値を抽出し且つ解析することが可能になる。よって、所定のコンテンツに対する好適な画質調整値を知ることができる。
さらに、サイト情報として、前面投写または背面投写の場合、表示する環境が会議室内・店頭・街頭・山野等の場合、特定季節または特定天候の場合、特定年齢層向けの場合、特定大陸または特定国の場合等を、所定のサイトコードまたはテキスト（文字）によって記入しておけば、前記コンテンツ情報と同様に、所定の表示環境（たとえば、会議室）における好適な画質調整値を知ることができる。
なお、ユーザ情報、デバイス情報、コンテンツ情報およびサイト情報の検索は、唯一のコードまたは唯一のテキストに基づくものに限定するものではなく、２以上のコードまたはテキストに基づいて「ＡＮＤ検索」または「ＯＲ検索」を実施してもよい。たとえば、サイト情報の検索において、前面投写と会議室、前面投写と会議室と若者、会議室または晴天の屋外等である。
さらに、それぞれの前記情報に記載されたコードまたはテキストを組み合わせて検索してもよい。たとえば、文字と会議室、文字と会議室と前面投写等である。このとき、たとえば表示画像が若者向けの内容であるものあるいは表示サイトが若者が集まる場所であるものについては、コンテンツ情報またはサイト情報の一方に若者と記載すれば、対応する画質調整ファイルを検索することができる。
よって、所望の表示環境に好適な画質調整値を容易に抽出することができるから、所望のデータ解析が可能になる。
【００１２】
前記画質調整値が表示される情報表示手段を有することが好ましい。
これによれば、出力または入力される画質調整値を、たとえば、液晶ディスプレー等に表示して、目視によって確認することができる。
【００１３】
さらに、本発明に係る画像表示システムは、
ネットワークと、該ネットワークに接続されたホストコンピュータと、前記ネットワークに接続された少なくとも１つの画像表示装置とを有し、
前記画像表示装置の画質調整値が、前記ネットワークを介して前記ホストコンピュータとの間で送信または受信されるものである。
これによると、一方の画像表示装置から送信された画質調整値がホストコンピュータ（以下、ホストＰＣと称す）に記憶されるから、複数のユーザの画質調整値がホストＰＣにおいて一元的に管理される。また、ホストＰＣに記憶された画質調整値が複数のユーザの画像表示装置において利用可能になる。
さらに、画像表示装置がネットワークに直接接続されている（特定のユーザＰＣを経由してネットワークに間接的に接続されていない）から、ネットワークに接続されていればいずれのユーザＰＣであっても、複数の画像表示装置を制御することができる。
たとえば、特定の支店に設置されたユーザＰＣは、該支店の複数の画像表示装置の画質調整値をホストＰＣに送信せしめることができる。さらに、該支店のユーザＰＣに代えて本店のユーザＰＣが、前記支店の複数の画像表示装置に対して同様の制御をすることができる。
また、特定の支店に設置されたユーザＰＣは、該支店の複数の画像表示装置に対して、ホストＰＣに記憶された画質調整値の内それぞれに好適な画質調整値（たとえば、エントランス用、屋内展示室用、屋外広告用等）を送信せしめることができる。
さらに、該支店のユーザＰＣに代えて本店のユーザＰＣが、前記支店の複数の画像表示装置に対して同様の制御をすることができるから、たとえば、本店のユーザＰＣの指令によって、エントランス用の画像表示装置については複数の支店の何れにおいても画質調整値を同一にすることが容易にできる。
なお、ネットワークとの接続は有線または無線の何れでもよい。
【００１４】
ネットワークと、該ネットワークに接続されたホストコンピュータと、該ネットワークに接続された少なくとも１つのユーザコンピュータと、該ユーザコンピュータに無線、有線または情報記憶媒体の何れか１以上を介して接続された少なくとも１つの画像表示装置とを有し、
前記画像表示装置の画質調整値が、前記ユーザコンピュータおよび前記ネットワークを介して前記ホストコンピュータとの間で送信または受信されるものである。
これによると、一方の画像表示装置から出力された画質調整値が、一方のユーザＰＣを介してホストＰＣに送信されるから、複数のユーザの画質調整値がホストＰＣにおいて一元的に管理されることになる。また、ホストＰＣに記憶された画質調整値が複数のユーザの画像表示装置において利用可能になる。
なお、ユーザＰＣと画像表示装置との間の画質調整値の受け渡しは、無線または有線による直接接続、あるいは、情報記憶媒体（フレキシブルディスク等）を介しての間接的な接続によって容易且つ確実に実行される。なお、１台のユーザＰＣに１台または複数台の画像表示装置が接続自在である。
【００１５】
ネットワークと、該ネットワークに接続されたホストコンピュータと、前記ネットワークに接続された少なくとも１つの第一の画像表示装置と、前記ネットワークに接続された少なくとも１つのユーザコンピュータと、該ユーザコンピュータに無線、有線または情報記憶媒体の何れか１以上を介して接続された少なくとも１つの第二の画像表示装置とを有し、
前記第一の画像表示装置と前記第二の画像表示装置との間において、一方の画像表示装置の画質調整値が、前記ネットワークおよび前記ホストコンピュータおよび前記ユーザコンピュータを介して送信または受信されるものである。
これによると、ネットワークに直接接続された第一の画像表示装置とネットワークにユーザＰＣを介して間接接続され第二の画像表示装置との間で、一方の画像表示装置の画質調整値が他方の画像表示装置に送信または受信されるから、相互に利用することが可能になる。
また、それぞれの画像表示装置の画質調整値が一旦ホストＰＣに送信されるから、ネットワークへの接続形態（直接接続または間接接続）に係わらず、該画質調整値が一元的に管理される。
【００１６】
ネットワークと、該ネットワークに接続された少なくとも１つの第一の画像表示装置と、前記ネットワークに接続された少なくとも１つのユーザコンピュータと、該ユーザコンピュータに無線、有線または情報記憶媒体の何れか１以上を介して接続された少なくとも１つの第二の画像表示装置とを有し、
前記第一の画像表示装置の画質調整値が、前記ネットワークを介して前記第一の画像表示装置同士の間で送信または受信され、
または前記第二の画像表示装置の画質調整値が、前記ユーザコンピュータおよび前記ネットワークを介して前記第二の画像表示装置同士の間で送信または受信され、
または前記第一の画像表示装置と前記第二の画像表示装置との間において、一方の画像表示装置の画質調整値が、前記ユーザコンピュータおよび前記ネットワークを介して送信または受信されるものである。
これによると、一方の画像表示装置の画質調整値が、ホストＰＣを経由しないで他方の画像表示装置に直接送信または受信される。
【００１７】
前記画質調整値にユーザについてのユーザ情報と画像表示装置についてのデバイス情報とが付加された画質調整ファイルが送信または受信されてなることが好ましい。
これによると、画質調整値の性格が明りょうになるとともに、所定のファイル形式に統一されるから、複数のユーザによる利用が容易になり、且つデータ解析ができるから広範な活用が可能になる。
たとえば、特定ユーザについての画質調整の傾向、たとえば、特定ユーザが画像表示装置の機種に係わらずコントラストを強めたり、赤を強めたりしている等を知ることができる。
また、ある種（表示形式、型式）の画像表示装置についての画質調整の傾向、たとえば、ある機種については多数のユーザがコントラストを強めたり、赤を強めたりしている等を知ることができる。
【００１８】
前記画質調整値に表示する画像の内容についてのコンテンツ情報と表示する環境についてのサイト情報との一方または両方が付加された画質調整ファイルが送信または受信されてなることが好ましい。
これによると、画質調整値の性格がさらに明りょうになるから、より広範な利用が容易になり、且つ目的に応じた各種検索やデータ解析等の活用が可能になる。
たとえば、コンテンツ情報として、表示する画像が主に文字および数字であること、人物であること、動物であること、植物であること、風景であること、商品であること等を、所定のコンテンツコードまたはテキスト（文字）によって記入する。
また、サイト情報として、前面投写または背面投写の場合、表示する環境が会議室内・店頭・街頭・山野等の場合、特定季節または特定天候の場合、特定年齢層向けの場合、特定大陸または特定国の場合等を、所定のサイトコードまたはテキスト（文字）によって記入する。
【００１９】
前記ホストコンピュータにおいて、前記画質調整ファイルに基づいて、それぞれのユーザについて画質調整値を解析したユーザ別画質調整解析値、それぞれの画像表示装置について画質調整値を解析したデバイス別画質調整解析値、それぞれの表示する画像の内容について画質調整値を解析したコンテンツ別画質調整解析値、またはそれぞれの表示する環境について画質調整値を解析したサイト別画質調整解析値の何れか１以上が演算されることが好ましい。
これによると、画質調整値（画質調整解析値に同じ）がより利用しやすいものになる。
たとえば、特定のユーザについての画質調整の傾向、たとえば、特定ユーザが画像表示装置の機種に係わらずコントラストを強めたり、赤を強めたりしている等がユーザ別画質調整解析値として把握される。
また、特定の機種（型式）の画像表示装置についての画質調整の傾向、たとえば、特定機種について多数のユーザがコントラストを強めたり、赤を強めたりしている等がデバイス別画質調整解析値として把握される。
また、コンテンツ（たとえば、人物表示）を指定して検索することにより、これ（人物表示）に対応する画質調整値を抽出し且つ解析することが可能になるから、当該コンテンツ（人物表示）に対する好適な画質調整値がコンテンツ別画質調整解析値として把握される。
さらに、環境（例えば、会議室）を指定すれば前記コンテンツ情報と同様に、当該環境（会議室）に対する好適な画質調整値がサイト別画質調整解析値として把握される。
なお、コンテンツ情報およびサイト情報の検索は、唯一のコードまたは唯一のテキストに基づくものに限定するものではなく、２以上のコードまたはテキストに基づいて「ＡＮＤ検索」または「ＯＲ検索」を実施してもよい。たとえば、サイト情報の検索において、前面投写と会議室、前面投写と会議室と若者、会議室または晴天の屋外等である。
【００２０】
前記ホストコンピュータにおいて、前記画質調整ファイルに基づいて、ユーザ、画像表示装置、表示する画像の内容、または表示する環境の何れか２以上を組み合わせて抽出した画質調整値を解析した組み合わせ画質調整解析値が演算されることが好ましい。
すなわち、画質調整ファイルのそれぞれの情報に記載されたコードまたはテキストを任意に組み合わせて「ＡＮＤ検索」または「ＯＲ検索」を実施する。
これによると、画質調整値（組み合わせ画質調整解析値に同じ）がより利用しやすいものになる。
たとえば、特定ユーザにおける特定機種の場合、ショールームでアパレルを表示する場合、特定機種によってショールームでアパレルを表示する場合、さらに特定機種によって晴天の屋外において人物画像またはアパレルを背面投写する場合等、より特化した条件に対応した好適な画質調整解析値が組み合わせ画質調整解析値として把握される。
【００２１】
さらに、前記ユーザ別画質調整解析値、前記デバイス別画質調整解析値、前記コンテンツ別画質調整解析値、または前記サイト別画質調整解析値、もしくは前記組み合わせ画質調整解析値の内少なくとも１つが、所定のファイル形式に形成されて前記画像表示装置または前記ユーザコンピュータに選択的に送信されることが好ましい。
これによれば、ユーザは、所望の条件をホストＰＣに対して提示することにより、該条件に対応した好適な画質調整解析値を利用することが可能になる。
また、マニュアル画質調整値（ホストＰＣに送信するもの）および画質調整解析値（ホストＰＣより受信するもの）を共通するファイル形式にしておけば、画質調整値と画質調整ファイルとを相互に変換するアプリケーションプログラムを簡素にすることができる。
【００２２】
【発明の実施の形態】
以下、まず画質調整値および画質調整ファイルについて説明し、次に画像表示装置および画像表示システムについて説明する。
（画質調整値）
本発明において、画質調整値とは画質を微調整する際の各調整項目の総称であり、たとえば、明るさを示す数値、コントラストを示す数値、色の濃さを示す数値、ガンマ値（階調特性）および色温度を示す数値等を集めたものである。
【００２３】
（画質調整ファイル）
画質調整ファイルとは画質調整値を所定のフォーマットに整理したものをいう。
表１は画質調整ファイルの構成の一例である。表１において、画質調整ファイルは、（ａ）ユーザ情報、（ｂ）デバイス情報、（ｃ）画質調整値、（ｄ）コンテンツ情報、（ｅ）サイト情報、および（ｆ）特記情報から構成されている。
なお、画質調整ファイルは、ユーザ情報またはデバイス情報の内少なくとも一方と、幾つかの画質調整値が記入されている限り有効なファイルとして扱い、コンテンツ情報やサイト情報等は必ずしも必要としないものである。
【００２４】
【表１】
2004093731.tif 000003
【００２５】
（ａ）ユーザ情報は、画像表示装置毎にこれを使用するユーザ名を別途定めたユーザコードまたはテキスト（文字）によって記入する。また、ユーザ名は、組織（企業、事業所等）あるいは個人を特定する名称である。
なお、ユーザ名またはユーザコードに対応したユーザデータベースを設け、当該ユーザを特徴付ける後記コンテンツ情報およびサイト情報を該ユーザデータベースに登録してもよい。
【００２６】
（ｂ）デバイス情報は、画像表示装置の機種（たとえば、プロジェクタの型式等）およびその連番等である。すなわち、同一ユーザに同一機種の画像表示装置が複数台設置されている場合、各装置に付された連番を記入することにより、ホストコンピュータにおける画質調整ファイルの重複（上書き）を防止する。
【００２７】
（ｃ）画質調整値は、（ｉ）明るさを示す数値、（ｉｉ）コントラストを示す数値、（ｉｉｉ）赤色の濃さを示す数値、（ｉｖ）青色の濃さを示す数値、（ｖ）黄色の濃さを示す数値、（ｖｉ）ガンマ値および（ｖｉｉ）色温度を示す数値であって、アプリケーションプログラムに対応して適宜追加または削除されるものである。
【００２８】
（ｄ）コンテンツ情報は、表示画像の内容を別途定めたコンテンツコードまたはテキストによって記入したものである。たとえば、主に文字および数字、電化製品、アパレル、人物、動物、植物、山野、海洋、等を記入する。
【００２９】
（ｅ）サイト情報は、所定の投写画像を投写する環境を別途定めたサイトコードまたはテキストによって記入したものである。たとえば、前面投写、背面投写、会議室、店舗のエントランス、屋外ショウウインド、街頭巨大スクリーン、あるいは、幼稚園、学校、老人ホーム、女性の集会、日中、夜間、春夏秋冬の季節等を記入する。
【００３０】
（ｆ）特記情報は、たとえば、当該画質調整値を設計したデザイナの氏名（オリジナル）、ダウンロードである（オリジナルでない）旨、特殊な用途に用いられた場合の用途の名称ないし効果等である。
【００３１】
以上より、画質調整ファイルは、特定ユーザの特定画像表示装置について、コンテンツ情報、サイト情報または特記情報が添削される度に作成されることになるから、１台の画像表示装置について複数の画質調整ファイルが形成される場合がある。一方、コンテンツ情報等にかかわらず、一定の画質調整値を使用する画像表示装置については、唯一の画質調整ファイルが形成される。
【００３２】
［実施の形態１］
（画像表示装置）
図１は本発明の実施の形態１に係る画像表示装置の構成を説明する構成図である。図１において、１００は画像表示装置（プロジェクタ）は、１１０は画像入力部、１２０は制御部、１３０は光源、１４０は分光装置、１５０は光変調素子、１６０はレンズユニット、１７０は画質マニュアル調整部、１８０は画質調整値／画質調整ファイル変換部、１９０は画質調整値入出力部である。
【００３３】
画質マニュアル調整部１７０は、画質調整値をマニュアルによって入力するものであって、入力された画質調整値（以下、マニュアル画質調整値と称す）は制御部１２０に出力されて記憶手段１２５に記憶される。なお、記憶手段１２５を制御部１２０の外に配置してもよい。
【００３４】
画質調整値入出力部１９０は、画質調整値を情報記憶媒体（フレキシブルディスク等）との間でやり取りするためのＦＤ入出力部１９１と、画質調整値をユーザＰＣとの間でやり取りするためのＰＣインターフェース１９２と、画質調整ファイルをネットワークとの間でやり取りするためのネットワークインターフェース１９３とを有している。
なお、図１においては、画質調整値入出力部１９０はＦＤ入出力部１９１とＰＣインターフェース１９２とネットワークインターフェース１９３とを具備し、これらを下記要領によって選択的に使用するものが記載されているが、本発明はこれに限定するものではなく、ＦＤ入出力部１９１、ＰＣインターフェース１９２、またはネットワークインターフェース１９３の内少なくとも１つを具備すればよい。
【００３５】
画質調整値／画質調整ファイル変換部１８０は、制御部１２０の記憶手段１２５から出力された画質調整値を、所定のフォーマットの画質調整ファイルに形成してネットワークインターフェース１９３に受け渡し、さらに、ネットワークインターフェース１９３から入力された画質調整ファイルを画質調整値に変換するものであって、所定のアプリケーションプログラムがインストールされている。なお、画質調整値／画質調整ファイル変換部１８０とＦＤ入出力部１９１、または画質調整値／画質調整ファイル変換部１８０とＰＣインターフェース１９２とをそれぞれ接続して、画像表示装置１００と情報記憶媒体との間、または画像表示装置１００とユーザＰＣとの間で画質調整ファイルをやり取りしてもよい。
【００３６】
（画質調整値の出力）
画質マニュアル調整部１７０においてマニュアルによって入力されたマニュアル画質調整値は制御部１２０に入力されて記憶手段１２５に記憶され、これに基づいて画質の微調整が図られる。そして、該マニュアル画質調整値は下記要領の内の何れかによって、ユーザＰＣに出力またはインターネットに接続されたホストＰＣに送信される。
▲１▼制御部１２０の記憶手段１２５からＦＤ入出力部１９１に出力されたマニュアル画質調整値は、ＦＤ入出力部１９１において情報記憶媒体（フレキシブルディスク等）に記憶され、該情報記憶媒体を介してユーザＰＣに出力される。そして、ユーザＰＣ（画質調整値／画質調整ファイル変換部を具備する）において画質調整ファイルに変換されてインターネットを介してホストＰＣに送信される。
【００３７】
▲２▼制御部１２０の記憶手段１２５からＰＣインターフェース１９２に出力されたマニュアル画質調整値は、接続されたユーザＰＣに出力される。そして、ユーザＰＣ（画質調整値／画質調整ファイル変換部を具備する）において画質調整ファイルに変換されてインターネットを介してホストＰＣに送信される。
【００３８】
▲３▼制御部１２０の記憶手段１２５から画質調整値／画質調整ファイル変換部１８０に出力されたマニュアル画質調整値は、画質調整値／画質調整ファイル変換部１８０において画質調整ファイルに変換される。該画質調整ファイルはネットワークインターフェース１９３より直接インターネットを介してホストＰＣに送信される。
【００３９】
（画質調整値の入力）
一方、ホストＰＣに送信された画質調整値（前記画像表示装置のマニュアル画質調整値がファイル形式に形成されたものに同じ）または後記ホストＰＣにおいて演算された画質調整解析値（画質調整解析ファイルに同じ）は、下記要領の内の何れかによって他方の画像表示装置において利用される。
▲４▼前記ホストＰＣにおける画質調整ファイルまたは画質調整解析ファイル（以下、これらを合わせて画質調整ファイルと称する場合がある）は、インターネットを介して他方のユーザＰＣにダウンロードされる。そして、ユーザＰＣ（画質調整値／画質調整ファイル変換部を具備する）において画質調整値または画質調整解析値（以下、これらを合わせて画質調整値と称する場合がある）に変換されて情報記憶媒体に出力される。
さらに、該情報記憶媒体はＦＤ入出力部１９１にセットされ、該情報記憶媒体に出力された画質調整値は制御部１２０に入力されて記憶手段１２５に記憶される。ここで、入力前の画質調整値（マニュアル画質調整値または先に入力された画質調整値等）は新たに入力された画質調整値に更新される。
【００４０】
▲５▼前記ホストＰＣにおける画質調整ファイルは、インターネットを介して他方のユーザＰＣにダウンロードされる。そして、ユーザＰＣ（画質調整値／画質調整ファイル変換部を具備する）において画質調整値に変換される。さらに、該画質調整値はＰＣインターフェース１９２を経由して制御部１２０に入力されて記憶手段１２５に記憶される。ここで、入力前の画質調整値は新たに入力された画質調整値に更新される。
【００４１】
▲６▼前記ホストＰＣにおける画質調整ファイルは、インターネットから直接ネットワークインターフェース１９３を経由して画像表示装置１００の画質調整値／画質調整ファイル変換部１８０にダウンロードされる。そして、画質調整値／画質調整ファイル変換部１８０において画質調整値に変換され、制御部１２０に入力されて記憶手段１２５に記憶される。ここで、入力前の画質調整値（マニュアル画質調整値または先に入力された画質調整値等）は、新たに入力された画質調整値に更新される。
【００４２】
なお、記憶手段１２５において、新たな画質調整値に更新する際、入力前の画質調整値を保存しておき、新たに入力された画質調整値と過去の画質調整値（複数であってもよい）とを適宜差し替えて利用可能にしてもよい。
【００４３】
なお、以上は、画像表示装置１００に設けた画質調整値／画質調整ファイル変換部１８０がネットワークインターフェース１９３にのみ接続された場合について記載しているが、画質調整値／画質調整ファイル変換部１８０がＦＤ入出力部１９１およびＰＣインターフェース１９２に接続されてもよい。このとき、画像表示装置１００とユーザＰＣとの間で、画質調整ファイルがやり取りされることになり、ユーザＰＣに画質調整値／画質調整ファイル変換部を設ける必要がない。
【００４４】
（画像表示）
よって、画像表示装置１００において、光源１３０から出射された出射光が分光装置１４０に入射し、分光装置１４０において投射光源（光変調素子１５０の表示タイミングに同期した表示データ色と同一の色順次で出射する）が生成され、そして、該投射光源が光変調素子１５０に照射される。そして、光変調素子１５０に照射されたそれぞれの色光は、光変調素子１５０により光変調が施され、レンズユニット１６０を介してスクリーンへ拡大投写されてカラー画像表示に供される。
【００４５】
このとき、制御部１２０は、入力された画像信号を図示しないサンプリング回路でサンプリングさせ、一方、画像入力信号中の同期信号が、マイクロプロセッサ１２１およびタイミングジェネレータ１２２に送られる。それと同時に、画像信号中の画像データが、タイミングジェネレータ１２２に制御されたフレームメモリ１２３に書き込まれるようになっている。
そして、前記入力された画質調整値（更新された画質調整値に同じ）は、記憶手段１２５に記憶されてタイミングジェネレータ１２２および光変調素子の駆動制御回路１２４を制御するから、所定の画質を再現するという画質調整機能が発揮される。
【００４６】
［実施の形態２］
（画像表示システムの構成）
図２は本発明の実施の形態２に係る画像表示システムの構成を説明する構成図である。図２において、１はインターネット、２は所定のメーカにおけるホストコンピュータ（以下、ＨＰＣと称す）、３０はインターネット１に接続されたローカルネットワークである。３は第一のユーザ、４は第二のユーザ、５は第三のユーザである。
なお、第一のユーザ３、第二のユーザ４、または第三のユーザ５との呼称は説明を容易にするための便宜であって、組織（たとえば、企業、事業所等）若しくは個人等を総称したものである。
また、第一のユーザ３、第二のユーザ４、または第三のユーザ５の数は何れであってもよく、一部のユーザが存在しない場合がある。また、各ユーザにおけるユーザコンピュータの数量および画像表示装置の台数は何れでもよい。
【００４７】
（第一のユーザ）
第一のユーザ３において、１０はインターネット１に接続されたユーザコンピュータ（以下、ＰＣ１０と称す）、１１は画像表示装置（プロジェクタ等、以下ＰＪ１１と称す）、１２は情報記憶媒体（フレキシブルディスク等、以下、ＦＤ１２と称す）である。
また、ＰＪ１１はＦＤ入出力部を有し、該ＦＤ入出力部においてＰＪ１１の画質調整値（以下、画質調整値１１と称す）がＦＤ１２に出力（記憶）される。
さらに、ＦＤ１２はＰＣ１０にセットされ、画質調整値１１がＰＣ１０に出力される。
ＰＣ１０は画質調整値／画質調整ファイル変換部を有し、該画質調整値／画質調整ファイル変換部において、画質調整値１１は画質調整ファイル１１に変換される。そして、画質調整ファイル１１は、インターネット１を介してＨＰＣに送信される。
また、ＰＣ１０の画質調整値／画質調整ファイル変換部には所定のアプリケーションプログラブがインストールされている。なお、ＰＪ１１に画質調整値／画質調整ファイル変換部を設け、画質調整ファイル１１をＦＤ１２に出力（記憶）してＰＣ１０に出力してもよい。このとき、ＰＣ１０には画質調整値／画質調整ファイル変換部を設ける必要がない。
【００４８】
一方、該出力と逆の工程により、ＨＰＣに送信された他の画像表示装置の画質調整ファイルまたは後記ＨＰＣにおいて演算された画質調整解析ファイル（以下、これらを合わせてＨＰＣにおける画質調整ファイルと称する場合がある）が、画質調整値または画質調整解析値（以下、これらを合わせて画質調整値と称する場合がある）に変換されてＰＪ１１に入力される。
なお、ＰＣ１０は、ローカルネットワークを介してインターネット１に接続される場合がある。また、ＰＣ１０は情報記憶媒体を介して複数台の画像表示装置と間接的に接続されてもよい。
【００４９】
（第二のユーザ）
第二のユーザ４において、２０はインターネット１に接続されたユーザコンピュータ（以下、ＰＣ２０と称す）、２１、２２はＰＣ２０に接続された画像表示装置（プロジェクタ等、以下、ＰＪ２１、ＰＪ２２と称す）である。
また、ＰＪ２１、２２はそれぞれＰＣインターフェースを有し、ＰＪ２１、２２の画質調整値（以下、画質調整値２１、２２と称す）はそれぞれのＰＣインターフェースを経由してＰＣ２０に出力される。そして、ＰＣ２０の画質調整値／画質調整ファイル変換部において、それぞれ画質調整ファイル２１、２２に変換され、さらに、インターネット１を介してＨＰＣに送信される。
また、画質調整値／画質調整ファイル変換部には、それぞれ所定のアプリケーションプログラブがインストールされている。なお、画質調整値／画質調整ファイル変換部をＰＣ２０から撤去して、ＰＪ２１、２２に設けてもよい。このとき、ＰＣ２０とＰＪ２１、２２との間で、画質調整値に代えて画質調整ファイルがやり取りされる。
【００５０】
一方、該出力と逆の工程により、ＨＰＣおける画質調整ファイルが、ＰＣ２０において画質調整値に変換されてＰＪ２１、２２に入力される。
なお、第二のユーザのＰＣ２０は、ローカルネットワークを介してインターネット１に接続される場合がある。また、ＰＣ２０に接続される画像表示装置は２台に限定するものではなく、何れの台数であってもよい。
【００５１】
（第三のユーザ）
第三のユーザ５において、３０はインターネット１に接続されたローカルネットワーク、３１、３２はそれぞれローカルネットワーク３０に接続されたユーザコンピュータ（以下、ＰＣ３１、ＰＣ３２称す）。４１はＰＣ３１に接続された画像表示装置（プロジェクタ等、以下、ＰＪ４１称す）、また、４２、４３はローカルネットワーク３０に直接接続された画像表示装置（プロジェクタ等、以下、ＰＪ４２、ＰＪ４３と称す）である。
そして、ＰＪ４２およびＰＪ４３はいずれも、画質調整値／画質調整ファイル変換部とネットワークインターフェースとを有している。したがって、ＰＪ４２、４３の画質調整値（以下、画質調整値４２、４３と称す）は、ＰＣ３１またはＰＣ３２の指令によって画質調整ファイル４２、４３に変換され、ローカルネットワーク３０およびインターネット１を介してＨＰＣに送信される。
なお、ＰＣ３２またはＰＣ３１の一方または両方には、所定のアプリケーションプログラブがインストールされている。
また、ＰＪ４１は前記第二のユーザ４のＰＪ２１またはＰＪ２２に準じて機能する。
【００５２】
一方、該出力と逆の工程により、ＨＰＣにおける画質調整ファイルがＰＪ４２またはＰＪ４３にダウンロード（入力）される。
なお、第三のユーザのＰＣ３１またはＰＣ３２の一方または両方がローカルネットワーク３０に代えてインターネット１に直接接続される場合がある。また、ユーザＰＣおよび画像表示装置の台数は何れであっもよく、たとえば、ＰＣ３２（１台）およびＰＪ４３（１台）がインターネット１に直接接続されてもよい。
【００５３】
（ホストコンピュータ）
以上より、ＨＰＣには、各ユーザから各画像表示装置の画質調整ファイル（前記マニュアル画質調整値を所定のフォーマットに形成したもの）が送信され、ホストデータベース（以下、ＨＤＢと称す）として一元的に記憶されることになる。
さらに、前記画質調整ファイルには、前記ユーザ情報、デバイス情報、コンテンツ情報、サイト情報、および特記情報が付加される場合があり、所定の検索および解析を可能にしている。
【００５４】
（実施例１）
図３は本発明の実施の形態２に係る画像表示システムにおける実施例１を説明するフローチャートである。図３は、図２に記載した第一のユーザにおける実施例であって、図２と同じ部分にはこれと同じ符号を付し、一部の説明を省略する。
すなわち、
▲１▼ＰＪ１１のＦＤ入出力部にＦＤ１２がセットされると、ＰＪ１１の画質調整値１１がＦＤ１２に出力される。
▲２▼画質調整値１１を記憶したＦＤ１２がＰＣ１０にセットされると、画質調整値１１はＰＣ１０に出力され、さらに、画質調整値／画質調整ファイル変換部において画質調整ファイル１１に変換される。
【００５５】
▲３▼そして、ＰＣ１０は画質調整ファイル１１をインターネット１を介してＨＰＣに送信する。
▲４▼ＨＰＣは、画質調整ファイル１１をＨＤＢに記憶する。
【００５６】
▲５▼さらに、ＰＣ１０はＨＤＢに記憶された他の画像表示装置（たとえば、ＰＪ２２）の画質調整ファイル（たとえば、画質調整ファイル２２）のダウンロードを、インターネット１を介してＨＰＣに請求する。
▲６▼ＨＰＣは、当該画質調整ファイル（たとえば、画質調整ファイル２２）をインターネット１を介してＰＣ１０に送信する。
【００５７】
▲７▼ＰＣ１０、は当該画質調整ファイル（たとえば、画質調整ファイル２２）をダウンロードして、画質調整値／画質調整ファイル変換部において当該画質調整値（たとえば、画質調整値２２）に変換する。
▲８▼ＰＣ１０は、当該画質調整値（たとえば、画質調整値２２）をＦＤ１２に出力する。
【００５８】
▲９▼そして、ＦＤ１２がＰＪ１１にセットされると、当該画質調整値（たとえば、画質調整値２２）がＰＪ１１に入力される。
そして、当該画質調整値（たとえば、画質調整値２２）は実施の形態１に準じて記憶手段に記憶されて所定の画質調整機能を発揮する。
なお、以上は、他の画像表示装置の画質調整ファイルをダウンロードする場合について説明しているが、これに代えて後記画質調整解析ファイルをダウンロードしてもよい。
【００５９】
（実施例２）
図４は本発明の実施の形態２に係る画像表示システムにおける実施例２を説明するフローチャートである。図４は、図２に記載した第二のユーザにおける実施例であって、図２と同じ部分にはこれと同じ符号を付し、一部の説明を省略する。　すなわち、
▲１▼ＰＣ２０の指令により、ＰＪ２２の画質調整値２２はＰＣ２０に出力される。
▲２▼ＰＣ２０は、画質調整値２２を画質調整値／画質調整ファイル変換部において画質調整ファイル２２に変換する。
【００６０】
▲３▼そして、ＰＣ２０は画質調整ファイル２２をインターネット１を介してＨＰＣに送信する。
▲４▼ＨＰＣは、画質調整ファイル２２をＨＤＢに記憶する。
【００６１】
▲５▼さらに、ＰＣ２０はＨＤＢに記憶された他の画像表示装置（たとえば、ＰＪ４３）の画質調整ファイル（たとえば、画質調整ファイル４３）のダウンロードを、インターネット１を介してＨＰＣに請求する。
▲６▼ＨＰＣは当該画質調整ファイル（たとえば、画質調整ファイル４３）をインターネット１を介してＰＣ２０に送信する。
【００６２】
▲７▼ＰＣ２０は当該画質調整ファイル（たとえば、画質調整ファイル４３）をダウンロードして、画質調整値／画質調整ファイル変換部において当該画質調整値（たとえば、画質調整値４３）に変換する。
▲８▼そして、当該画質調整値（たとえば、画質調整値４３）はＰＪ２２に入力され、実施の形態１に準じて記憶手段に記憶されて所定の画質調整機能を発揮する。
なお、以上は、他の画像表示装置の画質調整ファイルをダウンロードする場合について説明しているが、これに代えて後記画質調整解析ファイルをダウンロードしてもよい。
【００６３】
（実施例３）
図５は本発明の実施の形態２に係る画像表示システムにおける実施例３を説明するフローチャートである。図５は、図２に記載した第三のユーザにおける実施例であって、図２と同じ部分にはこれと同じ符号を付し、一部の説明を省略する。　すなわち、
▲１▼ＰＣ３１の指令により、ＰＪ４３の画質調整値４３が画質調整値／画質調整ファイル変換部において画質調整ファイル４３に変換される。
▲２▼ＰＣ３１の指令により、画質調整ファイル４３は、ＰＪ４３からローカルネットワーク３０およびインターネット１を介してＨＰＣに送信される。
▲３▼ＨＰＣは、画質調整ファイル４３をＨＤＢに記憶する。
【００６４】
▲４▼さらに、ＰＣ３２はＨＤＢに記憶された他のユーザの画像表示装置（たとえば、ＰＪ１１）の画質調整ファイル（たとえば、画質調整ファイル１１）をＰＪ４３にダウンロードする旨、ローカルネットワーク３０およびインターネット１を介してＨＰＣに請求する。
▲５▼ＨＰＣは、当該画質調整ファイル（たとえば、画質調整ファイル１１）をインターネット１およびローカルネットワーク３０を介してＰＪ４３に送信する。
【００６５】
▲６▼ＰＪ４３は当該画質調整ファイル（たとえば、画質調整ファイル１１）をダウンロードして、画質調整値／画質調整ファイル変換部において当該画質調整値（たとえば、画質調整値１１）に変換して、制御部に入力する。
そして、当該画質調整値は実施の形態１に準じて記憶手段に記憶されて所定の画質調整機能を発揮する。
なお、以上は、他の画像表示装置の画質調整ファイルをダウンロードする場合について説明しているが、これに代えて後記画質調整解析ファイルをダウンロードしてもよい。
また、ＰＣ３１とＰＣ３２の両方がＰＪ４３を制御する場合を例示しているがこれに限定するものではなく、たとえば、一方が設置されていない場合、他方がＰＪ４３を制御してもよい。
【００６６】
（実施例４）
実施例１〜３は何れも、ＨＰＣ（ＨＤＢに同じ）に記憶された画質調整ファイル（マニュアル画質調整値を所定のファイル形式にしたもの）を、ユーザＰＣまたは画像表示装置にダウンロードするものであるが、本発明はこれに限定するものではなく、ＨＰＣを経由しないで、すなわちＨＰＣが配置されていない画像表示システムにおいて画質調整ファイルを直接やり取りしてもよい。
たとえば、
▲１▼ＰＣ１０が、ＰＣ２０（他人）の画質調整ファイル２１をＰＣ１０（自分）に送信する旨インターネット１を介してＰＣ２０（他人）に請求したり、
▲２▼ＰＣ１０が、ＰＪ４２（他人）の画質調整ファイル４２をＰＣ１０（自分）に送信する旨インターネット１を介してＰＪ４２（他人）に指令したり、
▲３▼ＰＣ３１が、ＰＣ３１（自分）の画質調整ファイル４１を、ＰＣ１０（他人）がダウンロードするようローカルネットワーク３０を介してＰＣ１０（他人）に指令したり、
▲４▼ＰＣ３１が、ＰＣ３１（自分）の画質調整ファイル４１を、ＰＪ４２（他人）がダウンロードするようローカルネットワーク３０を介してＰＪ４２（他人）に指令したり、
▲５▼ＰＣ３１が、ＰＣ２０（他人）の画質調整値２１をＰＪ４２（第三者）に送信する旨インターネット１を介してＰＣ２０（他人）に指令したり、
▲６▼ＰＣ３１が、ＰＣ２０（他人）の画質調整値２１をＰＪ４２（第三者）が受信する旨インターネット１を介してＰＪ４２（第三者）に指令したりすることができる。
【００６７】
（実施例５）
実施例１〜３は何れも、他の画像表示装置の画質調整ファイル（マニュアル画質調整値を所定のファイル形式にしたもの）をＨＰＣからダウンロードする場合について説明しているが、本発明はこれに限定するものではなく、これに代えて後記画質調整解析ファイルをダウンロードしてもよい。
表２は画質調整解析値（画質調整解析ファイル）のダウンロードを請求する際の請求書の記載要領を模式的に説明するものである。
【００６８】
【表２】
2004093731.tif 000004
【００６９】
（ユーザ指定）
要領１は、特定ユーザを指定して、そのユーザにおける画質の微調整の傾向を知ろうとするものである。
すなわち、デバイス情報、コンテンツ情報、サイト情報および特記情報に係わらない、特定ユーザについて解析したユーザ別画質調整解析値（画質調整解析値と称する場合がある）を請求するものである。
なお、該ユーザ別画質調整解析値はＨＰＣにインストールされた所定のアプリケーションプログラムによって、ＨＤＢに記憶された画質調整ファイルについて演算されるものであって、単純平均値、最頻値、あるいは所定大きさ以上のバラツキを排除した残りの平均値等が、画質調整値個々の性質に応じて採用される（たとえば、明るさは平均値、コントラストは最頻値等）。
また、該ユーザ別画質調整解析値は、前記画質調整ファイル（表１参照）に準じて所定のフォーマットのユーザ別画質調整解析ファイル（画質調整解析ファイルと称する場合がある）にまとめられ、前記画質調整ファイルに代えて前記ダウンロードに供される。
【００７０】
（機種指定）
要領２は、特定機種（型式）を指定して、その機種の画像表示装置における画質の微調整の傾向を知ろうとするものである。
すなわち、ユーザ情報、コンテンツ情報、サイト情報および特記情報に係わらない、特定機種（型式）について解析したデバイス別画質調整解析値（画質調整解析値と称する場合がある）を請求するものである。なお、前記「ユーザ指定」に準じて、デバイス別画質調整解析値およびデバイス別画質調整解析ファイル（画質調整解析ファイルと称する場合がある）が作成されてダウンロードに供されるものである。
【００７１】
（ユーザ・機種指定）
要領３は、特定ユーザと特定機種（型式）とを指定して、その画質の微調整の傾向を知ろうとするものである。
すなわち、コンテンツ情報、サイト情報および特記情報に係わらないユーザ・デバイス別画質調整解析値、すなわち、特定ユーザに限定して解析したデバイス別画質調整解析値（特定機種に限定して解析したユーザ別画質調整解析値に同じ、画質調整解析値と称する場合がある）を請求するものである。なお、前記「ユーザ指定」に準じて、ユーザ・デバイス別画質調整解析値およびユーザ・デバイス別画質調整ファイル（画質調整解析ファイルと称する場合がある）が作成されてダウンロードに供されるものである。
【００７２】
（コンテンツ指定）
要領４は、コンテンツを指定して、その画質の微調整の傾向を知ろうとするものである。
すなわち、ユーザ情報、デバイス情報、サイト情報および特記情報に係わらない、特定コンテンツ（たとえば、投写する内容が電化製品等）について解析したコンテンツ別画質調整解析値（画質調整解析値と称する場合がある）を請求するものである。
なお、前記「ユーザ指定」に準じて、コンテンツ別画質調整解析値およびコンテンツ別画質調整解析ファイル（画質調整解析ファイルと称する場合がある）が作成されてダウンロードに供されるものである。
さらに、かかる解析における対象画質調整ファイルの抽出は、コンテンツ情報に記載されたコンテンツコードまたはテキストの内唯一のコンテンツコードまたは唯一のテキストに基づくものに限定するものではなく、２以上のコンテンツコードまたはテキストに基づいて「ＡＮＤ検索」または「ＯＲ検索」を実施してもよい。
たとえば、「人物と（ＡＮＤ）アパレル」を指定して該二者に絞り込んだ画質調整解析値を請求したり、「風景または（ＯＲ）植物」を指定して該二者に汎用される画質調整解析値を請求したりすることができる。
【００７３】
（サイト指定）
要領５は、表示環境を指定して、その画質の微調整の傾向を知ろうとするものである。
すなわち、ユーザ情報、デバイス情報、コンテンツ情報および特記情報に係わらない、特定サイト（たとえば、投写場所が街頭巨大スクリーン塔）について解析したコンテンツ別画質調整解析値（画質調整解析値と称する場合がある）を請求するものである。
なお、前記「ユーザ指定」に準じて、サイト別画質調整解析値およびサイト別画質調整解析ファイル（画質調整解析ファイルと称する場合がある）が作成されてダウンロードに供されるものである。
さらに、かかる解析における対象画質調整ファイルの抽出は、サイト情報に記載されたサイトコードまたはテキストの内唯一のサイトコードまたは唯一のテキストに基づくものに限定するものではなく、２以上のコードまたはテキストに基づいて「ＡＮＤ検索」または「ＯＲ検索」を実施してもよい。
たとえば、「前面投写と（ＡＮＤ）街頭」、「前面投写と（ＡＮＤ）街頭と（ＡＮＤ）雨天」、「欧州または（ＯＲ）米国」、「屋内または（ＯＲ）晴天の（ＡＮＤ）屋外」等の組み合わせが可能であるから、所望の表示環境に好適なコンテンツ別画質調整解析値が得られる。
【００７４】
（特記情報指定）
要領６は、特記情報を指定して、その画質の微調整の傾向を知ろうとするものである。
すなわち、ユーザ情報、デバイス情報、コンテンツ情報およびサイト情報に係わらない、特定情報（たとえば、特定デザイナ名等）について解析した特記情報別画質調整解析値（画質調整解析値と称する場合がある）を請求するものである。
なお、前記「サイト指定」に準じて、特記情報別画質調整解析値および特記情報別画質調整解析ファイル（画質調整解析ファイルと称する場合がある）が作成されてダウンロードに供されるものである。
【００７５】
（組み合わせ指定）
要領７〜１０は、前記要領１〜６を適宜組み合わせたものである。すなわち、
要領７は、特定コンテンツと特定サイトとを指定したものである。
要領８は、特定ユーザと特定コンテンツと特定サイトとを指定したものである。
要領９は、特定機種（型式）と特定コンテンツと特定サイトとを指定したものである。
要領１０は、特定ユーザと特定機種（型式）と特定コンテンツと特定サイトとを指定したものである。
このとき、かかる指定に対しては周知の検索技術によっていわゆる「ＡＮＤ検索」または「ＯＲ検索」が可能であるから、該組み合わせ指定による絞り込みによって、所望の画質調整ファイルが検索・抽出される。よって、前記「ユーザ指定」と同様に、これをデータ解析することにより所望の組み合わせ画質調整解析値（画質調整解析値と称する場合がある）および組み合わせ画質調整解析ファイル（画質調整解析ファイルと称する場合がある）が作成されてダウンロードに供されるものである。
【００７６】
なお、ユーザ情報等の情報の組み合わせは、前記の要領に限定するものではなく、ユーザの要求に応じた組み合せが可能である。
よって、ユーザはユーザＰＣからホストＰＣに対して所望の表示条件に好適な画質調整解析値（画質調整解析ファイルに同じ）を請求することが可能になる。また、ユーザは複数の画質調整解析値を記憶手段に記憶しておき、これを適宜選択的に利用してもよい。
【図面の簡単な説明】
【図１】実施の形態１に係る画像表示装置の構成を説明する構成図。
【図２】実施の形態２に係る画像表示システムの構成を説明する構成図。
【図３】図２における実施例１を説明するフローチャート。
【図４】図２における実施例２を説明するフローチャート。
【図５】図２における実施例３を説明するフローチャート。
【符号の説明】
１　インターネット、２　ホストコンピュータ、３　第一のユーザ、４　第二のユーザ、５　第一のユーザ、１０　ユーザコンピュータ、１１　画像表示装置、１２　情報記憶媒体、２０　ユーザコンピュータ、２１　画像表示装置、３０ローカルネットワーク、３１　ユーザコンピュータ、４１　画像表示装置、４２　画像表示装置、１００　画像表示装置、１０　画像入力部、１２０　制御部、１３０　光源、１４０　分光装置、１５０　光変調素子、１６０　レンズユニット、１７０　画質マニュアル調整部、１８０　画質調整値／画質調整ファイル変換部、１９０　画質調整値入出力部。
【図１】
2004093731.tif 000005
【図２】
2004093731.tif 000006
【図３】
2004093731.tif 000007
【図４】
2004093731.tif 000008
【図５】
2004093731.tif 000009